(57)【要約】      （修正有）【課題】簡易な構成でありながらより斬新な視覚的効果を奏することができる外観を備えた宝飾品素材を提供する。【解決手段】所定の形状に形成されており、その表面に少なくとも一つの凹所が設けられている第１の宝飾材料１２と、第１の宝飾材料１２の凹所に嵌合されている、少なくとも一種類の第２の宝飾材料１４とを備えている宝飾品素材１０である。【選択図】図４
0003220919.tif 000002
【実用新案登録請求の範囲】
【請求項１】
所定の形状に形成されており、その表面に少なくとも一つの凹所が設けられている第１の宝飾材料と、
前記第１の宝飾材料の前記凹所に嵌合されている、少なくとも一種類の第２の宝飾材料と、
を備えている宝飾品素材。
【請求項２】
前記凹所はドリルで穿孔されたきり孔であり、前記第２の宝飾材料は接着剤によって前記きり孔内に固定されている、請求項１に記載の宝飾品素材。
【請求項３】
前記第１の宝飾材料はクリスタルガラスであり、前記第２の宝飾材料は少なくとも小粒ダイヤモンドを含む、請求項１または２に記載の宝飾品素材。
【請求項４】
請求項１〜３のいずれか一項に記載の宝飾品素材を他の宝飾品素材とともにリング状に連結してなる装身具。
【考案の詳細な説明】
【技術分野】
【０００１】
本願は、宝飾品素材、装身具に関する。
【背景技術】
【０００２】
身につけたり、バッグなどの身の回り品に付けたりして楽しむ装飾品には、リング、ブレスレット、ネックレス、ペンダント、各種オーナメントなど、多彩な種類がある。中でも美しい輝きを放つ宝石、宝玉類を用いた装身具が制作、販売されている。使用される宝石、宝玉類にも、その美しさを増すため、伝統的な、あるいはユニークなカッティングを施すなど、様々の技法が開発され、試行されてきた。
【０００３】
宝石、宝玉類は単一でリングなどに用いることが一般的であるが、価格の問題を考慮したり、単一で用いたのでは得られない視覚的な効果を得ることを目的としたりして、複数の宝石、宝玉類を組み合わせることも通常である。
【０００４】
例えば、特許文献１（特開２０１４−４６０６０号公報）には、少なくとも２個以上の複数個の宝石を使用する装身具において、貴金属等の台の複数面にあらかじめ孔などの設置場所を設け、孔に接着剤を必要量使用して、宝石を設置することで、その機能性と自由性とデザイン性を高め、作業性も大幅に向上することができることが記載されている。
【先行技術文献】
【特許文献】
【０００５】
【特許文献１】特開２０１４−４６０６０号公報
【考案の概要】
【考案が解決しようとする課題】
【０００６】
しかし、上記の先行技術では、貴金属等でできた台の上に宝石を固定していることは従来の宝飾品と変わりがない。そこで、本考案者は、上記の先行技術等を踏まえ、簡易な構成でありながらより斬新な視覚的効果を奏することができる外観を備えた宝飾品素材、装身具を提供すべく本考案に至った。
【課題を解決するための手段】
【０００７】
上記の目的等を達成すべく、本願の一態様は、所定の形状に形成されており、その表面に少なくとも一つの凹所が設けられている第１の宝飾材料と、前記第１の宝飾材料の前記凹所に嵌合されている、少なくとも一種類の第２の宝飾材料とを備えている宝飾品素材である。
【０００８】
前記凹所はドリルで穿孔されたきり孔とし、前記第２の宝飾材料は接着剤によって前記きり孔内に固定することができる。
【０００９】
また、前記第１の宝飾材料としてクリスタルガラスを、前記第２の宝飾材料として少なくとも小粒ダイヤモンドを用いることができる。
【００１０】
さらに、上記の宝飾品素材を他の宝飾品素材とともにリング状に連結してなる装身具も本考案の範囲に含まれる。
【考案の効果】
【００１１】
本考案によれば、簡易な構成でありながらより斬新な視覚的効果を奏することができる外観を備えた宝飾品素材、装身具が提供される。
【図面の簡単な説明】
【００１２】
【図１】図１は、本考案の一実施形態による宝飾品素材の正面図である。
【図２】図２は、本考案の一実施形態による宝飾品素材の側面図である。
【図３】図３は、本考案の一実施形態による宝飾品素材の側面図である。
【図４】図４は、本考案の一実施形態による宝飾品素材の斜視図である。
【図５】図５は、宝飾品素材の製作工程の一例を示す図である。
【図６】図６は、本考案の一実施形態による宝飾品素材を用いたブレスレットの構成例を示す模式図である。
【考案を実施するための形態】
【００１３】
以下、本考案の実施形態について、図面を参照しながら説明する。
【００１４】
＝＝＝宝飾品素材の構成例＝＝＝
図１〜図４に、本考案の一実施形態による宝飾品素材の一例を示している。図１はその正面図、図２、図３は、それぞれ付記した矢視によるその側面図、図４は斜視図である。
【００１５】
本実施形態の宝飾品素材１０は、図示のように、ハート型に形成された第１の宝飾材料１２（以下「ストーン１２」と言う）、およびストーン１２の表面に配置された複数の第２の宝飾材料１４（以下「ジュエル１４」と言う）を有する。
【００１６】
宝飾品素材１０は、様々なアクセサリーに適用することができる鉱物性の材料であり、例えば、リング、イヤリング、ネックレス、ブレスレット、ペンダント、アンクレット等の材料として用いられる。その形状、大きさはそれらのアクセサリーのデザインに合わせて調整することができる。
【００１７】
ストーン１２は、本実施形態では、ハート型に形成されたクリスタルガラスである。ストーン１２の材料としてはクリスタルガラス以外の美観を有する各種鉱物、宝石を用いてよいが、後述するようにその表面に穿孔加工をする必要があるので、加工に適した硬度を有するものが好適である。
【００１８】
ストーン１２の形状および大きさは、前記したように宝飾品素材１０としてデザイン上要求されるところにしたがって決めればよい。本実施形態では、一例としてブレスレットに使用するために、尖頭部分を通る対称軸に沿った寸法が約３０ｍｍ程度、対称軸と直交する方向の最大寸法が３０ｍｍ程度、厚みが１５ｍｍ程度であるハート型に形成されている。
【００１９】
ジュエル１４は、ストーン１２の表面に固定して配置されるストーン１２よりも小さい宝石類である。本実施形態では、ジュエル１４として小粒ダイヤモンドを用いている。ジュエル１４としては、ルビー、サファイヤ、エメラルド、ガーネット等の他の小粒宝石も用いることができる。ジュエル１４としては比較的小粒の宝石を好適に選択することができ、本実施形態では直径が約１．０ｍｍ程度のダイヤモンドを使用している。しかし、ジュエル１４の種類、大きさは、宝飾品素材１０としてのデザイン、製作コスト等に基づいて適宜決定してよい。
【００２０】
ストーン１２の表面へのジュエル１４の配置は、宝飾品素材１０のデザイン等の要請に応じて決定すればよい。本実施形態では、ストーン１２の一方の表面（平面視ハート型を呈する表面）に、１２個のジュエル１４が配置されている。各ジュエル１４は、後述するように、ストーン１２の表面に設けられた凹所に固定されるように配置される。なお、宝飾品素材１０として例えばペンダントヘッドに用いるような場合を考えると、ストーン１２の表面全体にわたってジュエル１４を設けることが美観上効果的であろう。
【００２１】
本実施形態のように構成された宝飾品素材１０によれば、ストーン１２の輝きに加えてその表面にちりばめられた複数のジュエル１４のきらめきにより、従来の宝飾品素材にはない独特の視覚的効果、美観が得られるものである。なお、ジュエル１４としては、一つ設けるだけでもよく、個々のジュエル１４について適宜のカッティングを施すことも可能である。
【００２２】
＝＝＝宝飾品素材１０の製作工程＝＝＝
次に、本実施形態の宝飾品素材１０の製作工程について、図５を参照して説明する。図５は、宝飾品素材１０の製作工程を、Ｓ１〜Ｓ５の５ステップに分けて模式的に図示している。図５に例示する製作工程は以下の通りである。
【００２３】
Ｓ１：ストーン１２を用意する。通常この段階で、ストーン１２はそのデザインに応じた所定の形状、大きさ（本実施形態ではハート型）に加工済みとされている。
【００２４】
Ｓ２：ストーン１２の表面の、ジュエル１４を配置する部位に、ドリル２０によって穿孔加工を行う。ドリル２０の先端がストーン１２の表面を滑って傷つけることを防ぐために、あらかじめジュエル１４を配置する部位に下穴をポンチ等で打っておくとよい。
【００２５】
Ｓ３：ドリル２０によりストーン１２の表面に凹所１６が設けられる。凹所１６の深さは、ジュエル１４のおよそ半分がストーン１２の表面より上に突き出るようにすることが好ましいが、これに制約されることはない。凹所１６は、ストーン１２の表面に設けるジュエル１４の数だけ設けられる。
【００２６】
Ｓ４：各凹所１６内に、適量の接着剤３０を入れる。接着剤３０としてはエポキシ樹脂系、アクリル系等適宜に選択することができるが、固化した状態で透明であるものが特に好適である。
【００２７】
Ｓ５：接着剤３０が入れられた各凹所１６内にジュエル１４をはめ込んでいく。接着剤３０が固化すれば、宝飾品素材１０が完成する。
【００２８】
＝＝＝宝飾品素材１０の適用例＝＝＝
次に、本実施形態の宝飾品素材１０を適用したアクセサリーの例について説明する。図６に、本実施形態の宝飾品素材１０を用いて製作したブレスレット１００を例示している。
【００２９】
ブレスレット１００は、本実施形態のハート型宝飾品素材１０を２個用いている。宝飾品素材１０の尖頭側を向き合わせるようにして、かつその間に円管状の他の宝飾品素材１８ａを配置してアクセントとし、さらに他の球状の宝飾品素材１８ｂとともに、腕に嵌められる円環状の形状に線状素材（図示は省略する）を通して組み合わされている。
【００３０】
宝飾品素材１８ａ、１８ｂは、ブレスレット１００としてのデザイン上の要請等に応じて、適宜の材料を適宜の形状、大きさに加工して用いることができる。宝飾品素材１０、１８ａ、１８ｂを連結するための線状素材としては、所要の耐久性と伸縮性を備えたもの、例えば所定の太さ、長さのシリコンゴム製ひもなどが好適に用いられる。宝飾品素材１０、１８ａ、１８ｂには、それぞれ前記の線状素材を通すための貫通孔（図示を省略する）が設けられている。宝飾品素材１０にあっては、ストーン１２の尖頭部分を通る対称軸に概略沿って貫通孔を設けているが、これに制約されるものではない。
【００３１】
このような装飾品としてのブレスレット１００によれば、宝飾品素材１０のストーン１２が放つ輝きだけでなく、表面に配置されたジュエル１４のきらめきも看取されるので、従来のブレスレット１００では得られない独特の美観を与えることができるものである。
【００３２】
以上、図示されている実施例に基づいて、本願の構造、特徴及び作用効果を詳しく説明した。以上の説明は、本願のより良い実施例であり、図面に示される内容は実施範囲を限定しない。本願の思想に応じてなされた変更または修正が、同等に変化された等価の実施例であって、明細書及び図示にカバーされる精神を超えていない場合、いずれも本願の保護範囲内に属する。
【符号の説明】
【００３３】
１０、１８ａ、１８ｂ  宝飾品素材
１２  ストーン（第１の宝飾材料）
１４  ジュエル（第２の宝飾材料）
１６  凹所
２０  ドリル
３０  接着剤
１００  ブレスレット（装身具）
【図１】
0003220919.tif 000003
【図２】
0003220919.tif 000004
【図３】
0003220919.tif 000005
【図４】
0003220919.tif 000006
【図５】
0003220919.tif 000007
【図６】
0003220919.tif 000008